【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
画像データを入力する入力手段と、
画像データを合成した合成画像データを作成する合成画像作成手段と、
画像データを記憶する記憶手段に、前記入力手段により入力した第１の画像データに加えて、前記合成画像作成手段が前記第１の画像データと第２の画像データとを合成した合成画像データを記憶できる空きエリアがあるかどうかを判定する判定手段と、
前記判定手段により空きエリアがあると判定されると、前記入力手段により入力した前記第１の画像データに加えて前記合成画像作成手段により作成された前記合成画像データを前記記憶手段に記憶させ、前記判定手段により空きエリアがないと判定されると、前記入力手段により入力した前記第１の画像データを前記記憶手段に記憶させるように制御する制御手段と、
画像形成時、前記記憶手段に前記合成画像データが記憶されているときは、当該合成画像データに従って画像を形成し、前記記憶手段に前記合成画像データが記憶されていないときは、前記合成画像作成手段が、前記記憶手段から読み出した前記第１の画像データと前記第２の画像データとを合成した合成画像データに従って画像を形成する画像形成処理手段と、
を有することを特徴とする画像形成装置。
【請求項２】
画像データを圧縮及び伸張する圧縮伸張手段を更に有し、
前記記憶手段は前記圧縮伸張手段により圧縮された画像データを記憶することを特徴とする請求項１に記載の画像形成装置。
【請求項３】
前記画像形成処理手段が、前記記憶手段から読み出した前記第１の画像データに基づいて前記合成画像作成手段により作成された合成画像データに従って画像を形成する際、前記記憶手段に当該合成画像データを記憶できる空きエリアがあるかどうかを判定し、当該合成画像データを記憶できる空きエリアがあると判定されると当該合成画像データを前記記憶手段に記憶させる手段を更に有することを特徴とする請求項１又は２に記載の画像形成装置。
【請求項４】
前記記憶手段に合成画像データが記憶されている前記第１の画像データと、合成画像データが記憶されていない前記第１の画像データとを特定する情報を記憶するメモリを更に有し、
前記画像形成処理手段は、前記メモリに記憶された前記情報を基に前記記憶手段に前記合成画像データが記憶されている前記第１の画像データと、前記記憶手段に前記合成画像データが記憶されていない前記第１の画像データとを判別することを特徴とする請求項１又は２に記載の画像形成装置。
【請求項５】
画像形成装置を制御する制御方法であって、
前記画像形成装置の入力手段が、画像データを入力する入力工程と、
前記画像形成装置の合成画像作成手段が、画像データを合成した合成画像データを作成する合成画像作成工程と、
前記画像形成装置の判定手段が、画像データを記憶する記憶装置に、前記入力工程で入力した第１の画像データに加えて、前記合成画像作成工程が前記第１の画像データと第２の画像データとを合成した合成画像データを記憶できる空きエリアがあるかどうかを判定する判定工程と、
前記画像形成装置の制御手段が、前記判定工程で空きエリアがあると判定されると、前記入力工程で入力した前記第１の画像データに加えて前記合成画像作成工程で作成された合成画像データを前記記憶装置に記憶させ、前記判定工程で空きエリアがないと判定されると、前記入力工程で入力した前記第１の画像データを前記記憶装置に記憶させるように制御する制御工程と、
前記画像形成装置の画像形成処理手段が、画像形成時、前記記憶装置に前記合成画像データが記憶されているときは、当該合成画像データに従って画像を形成し、前記記憶装置に前記合成画像データが記憶されていないときは、前記合成画像作成工程により、前記記憶装置から読み出した前記第１の画像データと前記第２の画像データとを合成した合成画像データに従って画像を形成する画像形成処理工程と、
を有することを特徴とする画像形成装置の制御方法。
【請求項６】
前記画像形成装置の圧縮伸張手段が、画像データを圧縮及び伸張する圧縮伸張工程を更に有し、
前記記憶装置は前記圧縮伸張工程で圧縮された画像データを記憶することを特徴とする請求項５に記載の画像形成装置の制御方法。
【請求項７】
前記画像形成処理工程が、前記記憶装置から読み出した前記第１の画像データに基づいて前記合成画像作成工程で作成された合成画像データに従って画像を形成する際、
前記画像形成装置の手段が、前記記憶装置に当該合成画像データを記憶できる空きエリアがあるかどうかを判定し、当該合成画像データを記憶できる空きエリアがあると判定されると当該合成画像データを前記記憶装置に記憶させる工程を更に有することを特徴とする請求項５又は６に記載の画像形成装置の制御方法。
【請求項８】
前記記憶装置に合成画像データが記憶されている前記第１の画像データと、合成画像データが記憶されていない前記第１の画像データとを特定する情報を記憶するメモリを更に有し、
前記画像形成処理工程は、前記メモリに記憶された前記情報を基に前記記憶装置に前記合成画像データが記憶されている前記第１の画像データと、前記記憶装置に前記合成画像データが記憶されていない前記第１の画像データとを判別することを特徴とする請求項５又は６に記載の画像形成装置の制御方法。
【請求項９】
コンピュータを、
画像データを入力する入力手段と、
画像データを合成した合成画像データを作成する合成画像作成手段と、
画像データを記憶する記憶手段に、前記入力手段により入力した第１の画像データに加えて、前記合成画像作成手段が前記第１の画像データと第２の画像データとを合成した合成画像データを記憶できる空きエリアがあるかどうかを判定する判定手段と、
前記判定手段により空きエリアがあると判定されると、前記入力手段により入力した前記第１の画像データに加えて前記合成画像作成手段により作成された合成画像データを前記記憶手段に記憶させ、前記判定手段により空きエリアがないと判定されると、前記入力手段により入力した前記第１の画像データを前記記憶手段に記憶させるように制御する制御手段と、
画像形成時、前記記憶手段に前記合成画像データが記憶されているときは、当該合成画像データに従って画像を形成し、前記記憶手段に前記合成画像データが記憶されていないときは、前記合成画像作成手段が、前記記憶手段から読み出した前記第１の画像データと前記第２の画像データとを合成した合成画像データに従って画像を形成する画像形成処理手段と、
を有する画像形成装置として機能させるためのプログラム。
【手続補正２】
【補正対象書類名】明細書
【補正対象項目名】００１０
【補正方法】変更
【補正の内容】
【００１０】
上記目的を達成するために本発明の一態様に係る画像形成装置は以下のような構成を備える。即ち、
画像データを入力する入力手段と、
画像データを合成した合成画像データを作成する合成画像作成手段と、
画像データを記憶する記憶手段に、前記入力手段により入力した第１の画像データに加えて、前記合成画像作成手段が前記第１の画像データと第２の画像データとを合成した合成画像データを記憶できる空きエリアがあるかどうかを判定する判定手段と、
前記判定手段により空きエリアがあると判定されると、前記入力手段により入力した前記第１の画像データに加えて前記合成画像作成手段により作成された前記合成画像データを前記記憶手段に記憶させ、前記判定手段により空きエリアがないと判定されると、前記入力手段により入力した前記第１の画像データを前記記憶手段に記憶させるように制御する制御手段と、
画像形成時、前記記憶手段に前記合成画像データが記憶されているときは、当該合成画像データに従って画像を形成し、前記記憶手段に前記合成画像データが記憶されていないときは、前記合成画像作成手段が、前記記憶手段から読み出した前記第１の画像データと前記第２の画像データとを合成した合成画像データに従って画像を形成する画像形成処理手段と、を有することを特徴とする。